(57)【要約】【課題】ドアを開けた状態でもデザイン性が良好でかつ衣類が入れやすい衣類処理装置を提供する。【解決手段】衣類処理装置は、開口部(１００ａ)を前面に有する外箱(１００)と、外箱(１００)の前面側に開閉可能に取り付けられ、開口部(１００ａ)を開閉するドアと、外箱(１００)の開口部(１００ａ)の周縁に設けられた環状部材(１７)を備える。環状部材(１７)は、外周縁側から内周縁側に向かって後面側に傾斜する環状の傾斜面(１７ａ)を有する。【選択図】図７Ａ
2018117707.tif 000002
【特許請求の範囲】
【請求項１】
開口部を前面に有する外箱と、
上記外箱の前面側に開閉可能に取り付けられ、上記開口部を開閉するドアと、
上記外箱の上記開口部の周縁に設けられた環状部材と
を備え、
上記環状部材は、外周縁側から内周縁側に向かって後面側に傾斜する環状の傾斜面を有することを特徴とする衣類処理装置。
【請求項２】
請求項１に記載の衣類処理装置において、
上記環状部材の上記環状の傾斜面は、上側から下側に向かって上記開口部の開口面に対する傾斜角度または平均傾斜角度が徐々に小さくなっていることを特徴とする衣類処理装置。
【請求項３】
請求項１または２に記載の衣類処理装置において、
上記環状部材の上記環状の傾斜面の少なくとも一部は、断面凸状の湾曲面であることを特徴とする衣類処理装置。
【請求項４】
請求項１から３までのいずれか１つに記載の衣類処理装置において、
上記外箱の前面の表面に対して上記環状部材の表面の色相、彩度および明度のうちのいずれか１つが異なることを特徴とする衣類処理装置。
【請求項５】
請求項１から４までのいずれか１つに記載の衣類処理装置において、
上記環状部材と上記外箱の開口部の周縁部分とで挟持されたパッキンを備えたことを特徴とする衣類処理装置。
【請求項６】
請求項１から５までのいずれか１つに記載の衣類処理装置において、
上記外箱と上記ドアとを連結するヒンジ部は、上記環状部材の外側に配置されていることを特徴とする衣類処理装置。
【発明の詳細な説明】
【技術分野】
【０００１】
この発明は、衣類処理装置に関する。
【背景技術】
【０００２】
従来、衣類処理装置としては、開口部に段差を有するドラム式洗濯機がある(例えば、特開２０１４−１４７８３８号公報(特許文献１)参照)。
【先行技術文献】
【特許文献】
【０００３】
【特許文献１】特開２０１４−１４７８３８号公報
【発明の概要】
【発明が解決しようとする課題】
【０００４】
上記従来の衣類処理装置では、ドアを閉じたときにドアの背面の一部が開口部を介してドラム内に収まるように、開口部に段差を設けて、ドアが前面に飛び出さないようにしている。
【０００５】
しかしながら、上記衣類処理装置では、開口部の段差により、ドアを開いたときの環状部材と本体との一体感が損なわれるという課題や、段差に衣類が引っ掛かって入れにくいという課題がある。
【０００６】
そこで、この発明の課題は、ドアを開けた状態でもデザイン性が良好でかつ衣類が入れやすい衣類処理装置を提供することにある。
【課題を解決するための手段】
【０００７】
上記課題を解決するため、この発明の衣類処理装置は、
開口部を前面に有する外箱と、
上記外箱の前面側に開閉可能に取り付けられ、上記開口部を開閉するドアと、
上記外箱の上記開口部の周縁に設けられた環状部材と
を備え、
上記環状部材は、外周縁側から内周縁側に向かって後面側に傾斜する環状の傾斜面を有することを特徴とする。
【発明の効果】
【０００８】
以上より明らかなように、この発明によれば、外箱の開口部の周縁に設けられた環状部材が、外周縁側から内周縁側に向かって後面側に傾斜する環状の傾斜面を有することによって、ドアを開けた状態でもデザイン性が良好でかつ衣類が入れやすい衣類処理装置を実現することができる。
【図面の簡単な説明】
【０００９】
【図１】図１はこの発明の第１実施形態の衣類処理装置の一例としてのドラム式洗濯乾燥機の斜視図である。
【図２】図２は上記ドラム式洗濯乾燥機のドアを開けた状態の斜視図である。
【図３】図３は上記ドラム式洗濯乾燥機の側面図である。
【図４】図４は上記ドラム式洗濯乾燥機の正面図である。
【図５】図５は図４のＶ−Ｖ線から見たドラム式洗濯乾燥機の縦断面図である。
【図６】図６は上記ドラム式洗濯乾燥機のドアを外した状態の正面図である。
【図７Ａ】図７Ａは図５に示すドラム式洗濯乾燥機のドアのない状態の要部(開口部を含む)の拡大断面図である。
【図７Ｂ】図７Ｂは図７Ａに示す領域Ａの拡大図である。
【図７Ｃ】図７Ｃは図７Ａに示す領域Ｂの拡大図である。
【図８】図８は図６のVIII−VIII線から見た水平断面図である。
【図９】図９は図６のIX−IX線から見た水平断面図である。
【発明を実施するための形態】
【００１０】
以下、この発明の衣類処理装置を図示の実施の形態により詳細に説明する。
【００１１】
〔第１実施形態〕
図１はこの発明の第１実施形態の衣類処理装置の一例としてのドラム式洗濯乾燥機１の斜視図を示している。図１において、１０１は上面部、１０３は前面部、１０４は後面部、１０５は側面部、１０６は底台である。
【００１２】
この第１実施形態のドラム式洗濯乾燥機１は、図１に示すように、外箱１００と、外箱１００の開口部１００ａ(図２に示す)を開閉するドア５０と、外箱１００内に配置された水槽２(図５に示す)と、その水槽２内に回転可能に配置された回転ドラム３(図５に示す)を備える。
【００１３】
また、外箱１００の上面部１０１の左後面側に給水口１０を設けている。この給水口１０は、図示しない給水ホースを介して水道の蛇口に接続される。
【００１４】
また、外箱１００の上面部１０１の右後面側に気流フィルタ装置３０を装着している。この気流フィルタ装置３０は、湿潤風に含まれる糸くずや埃などの異物を捕集する。すなわち、糸くずや埃などの異物が、気流フィルタ装置３０によって循環風路(図示せず)内を流れる空気から捕集される。
【００１５】
また、外箱１００の上面部１０１の右前面側に電源ボタン３１を設けている。
【００１６】
また、外箱１００の上面部１０１の左前側に洗剤ケース１１を装着している。この洗剤ケース１１には、例えば、洗剤、漂白剤および柔軟剤が収容される。
【００１７】
ドア５０は、正面視で略四角形状のドア本体部５１と、ドア本体部５１の上部から後方に傾斜するように設けられた傾斜部５２とを備える。このドア５０の傾斜部５２に、運転動作を選択して指示入力すると共に運転状態を表示する表示操作部５４を設けている。
【００１８】
また、図２はドラム式洗濯乾燥機１のドア５０を開けた状態の斜視図を示し、図３はドラム式洗濯乾燥機１の側面図を示し、図４はドラム式洗濯乾燥機１の正面図を示している。図２〜図４において、図１に示すドラム式洗濯乾燥機１と同一の構成部には同一参照番号を付している。
【００１９】
ドラム式洗濯乾燥機１の外箱１００は、図２〜図４に示すように、上面部１０１と、前面部１０３と、後面部１０４と、一対の側面部１０５(図２,図３では一方を示す)と、底台１０６とによって構成されている。
【００２０】
外箱１００の前面部１０３は、第１平面部１０３ａと、第１平面部１０３ａの上側に延在する上傾斜部１０３ｂと、第１平面部１０３ａの下側に延在する第２平面部１０３ｃとを有する。
【００２１】
上記前面部１０３には、洗濯物の出し入れに使用される開口部１００ａが設けられている。上記前面部１０３の開口部１００ａの周縁に環状部材１７を設けている。
【００２２】
また、前面部１０３の前面側には、開口部１００ａを開閉するためのドア５０を、２つのヒンジ部６５で回動可能に取り付けている。
【００２３】
また、ドア５０の後面側には、ユーザーによって操作されるロック解除部５３が設けられている。ロック解除部５３は、ドア５０の厚み方向の前側にスライド移動することにより、ドア５０のロック解除を行う機能を有する。係合爪５７は、ロック解除部５３の動きに連動するように構成されている。
【００２４】
ドア５０が閉められた状態で、ユーザーの操作によりロック解除部５３がドア５０の厚み方向の前側にスライド移動すると、係合爪５７が非係合側に移動することにより被係合部６６に対する係合爪５７の係合が解除されて、ドア５０が開放される。
【００２５】
また、ドア５０を開いた状態から閉めると、ドア５０の係合爪５７が外箱１００の被係合部６６に係合する。
【００２６】
上記環状部材１７と外箱１００の開口部１００ａの周縁部分(図７Ａに示すパッキン保持部材１６)とで、ゴムや軟質樹脂等の弾性体から成るパッキン１８を挟んで保持している。これにより、ドア５０を閉じると、ドア５０に取り付けられた円錐台形状のガラス製の窓部材５６がパッキン１８に密着して、水槽２は水密かつ気密が保たれ、水槽２内の液体が水槽２外へ漏れ出ることを防止できる。
【００２７】
また、外箱１００内に配置された水槽２および回転ドラム３は、ドア５０側に開口しており、ドア５０を開くことにより外箱１００の開口部１００ａを介して回転ドラム３内に洗濯物(図示せず)を出し入れできる。
【００２８】
また、上記ドラム式洗濯乾燥機１は、外箱１００内の後面側かつ下部に配置された乾燥用のヒートポンプユニット(図示せず)と、そのヒートポンプユニットを介して水槽２内の空気を循環させるための循環経路(図示せず)を備えている。
【００２９】
また、外箱１００の第２平面部１０３ｃの左下側に排水フィルタ用ドア６０を開閉可能に取り付けている。この排水フィルタ用ドア６０を開いて、外箱１００内の下側に装着された糸屑フィルタ７０(図５に示す)を着脱する。
【００３０】
上記構成のドラム式洗濯乾燥機１では、表示操作部５４(図１に示す)から運転コースの選択や各工程の時間設定などが入力されると、その選択情報や設定情報が入力された制御装置(図示せず)によって、例えば洗濯から乾燥までの一連の動作を実行する。
【００３１】
図５は図４のＶ−Ｖ線から見たドラム式洗濯乾燥機１の縦断面図を示している。
【００３２】
図５に示すように、ドラム式洗濯乾燥機１は、外箱１００内に配置された有底筒形状の水槽２と、この水槽２内に回転可能に配置された有底筒形状の回転ドラム３と、水槽２の後部に取り付けられて回転ドラム３を回転駆動するドラムモータ４とを備える。
【００３３】
水槽２の前部の水槽開口部２ａには、環状ガイド部５を取り付けている。環状ガイド部５は、水槽２内に向かって徐々に内径が狭くなる漏斗形状の曲面を内周側に有する。また、水槽２の後部は、２本のダンパ１２(図５では１本のみを示す)によって弾性的に支持されている。
【００３４】
洗濯物などの衣類を収容する回転ドラム３は、水槽２よりも若干小径である。ドラム式洗濯乾燥機１では、通常、回転ドラム３の回転軸Ｊは、前側が後側よりも高くなるように、すなわち前方かつ斜め上方を向くように、水平方向に対して傾斜している。なお、回転ドラム３は、回転軸Ｊが水平方向に対して略平行になるように配置されていてもよい。
【００３５】
上記回転ドラム３は、前側の回転ドラム開口部３ａを水槽２の水槽開口部２ａの内側に臨むように構成されている。また、外箱１００の開口部１００ａに対向するように回転ドラム開口部３ａが配置されている。回転ドラム３は、ドラムモータ４の回転軸Ｊの端部に連結されて、ドラムモータ４の駆動により水槽２の内部で回転する。また、上記回転ドラム３は、回転ドラム開口部３ａの外側に周設された流体バランサ２９を有する。回転ドラム３の周壁には、多数の小さな貫通孔２７が全面に亘って形成されている。また、回転ドラム３の内面には、軸方向に延びる複数のバッフル２８(図５では１つのみを示す)が周方向に等間隔で突設されている。
【００３６】
外箱１００の前面部１０３には、水槽２の水槽開口部２ａを臨む位置に、洗濯物を出し入れするための開口部１００ａを設けている。この開口部１００ａは、水槽２の水槽開口部２ａおよび回転ドラム３の回転ドラム開口部３ａに臨むように構成されている。円形の水槽開口部２ａは、円形の回転ドラム開口部３ａと同軸になるように設けられている。外箱１００の開口部１００ａの開口縁と水槽開口部２ａの開口縁とは、環状部材１７およびパッキン１８によって接続されている。このパッキン１８により、外箱１００と水槽２との間が液密に封止されている。
【００３７】
給水口１０が、外箱１００内で給水弁１３の注入口に接続されている。これにより、水道水が、給水ダクト１５と洗剤ケース１１(図１,図２に示す)とを経由して、水槽２の上部から水槽２内に流入することが可能になっている。水槽２の内部に供給された水は、洗濯水またはすすぎ水として使用される。
【００３８】
水槽２の底板近傍の周面に、排水ダクト１９の一端を接続し、排水ダクト１９の他端を、外箱１００の内側における前下部に固定された排水フィルタ装置２０に接続している。排水フィルタ装置２０の下部に排水ホース２１を接続している。この排水ホース２１に排水弁２２を配設しており、排水弁２２が開放されると、水槽２内の洗濯水またはすすぎ水は、排水ダクト１９と排水フィルタ装置２０と排水ホース２１とを介して外部に排出される。このとき、排水フィルタ装置２０内に収容された糸屑フィルタ７０によって、水槽２内の洗濯水またはすすぎ水に含まれる繊維屑等の異物を捕集する。
【００３９】
なお、排水フィルタ装置２０には、循環ポンプ２４を配設しており、排水弁２２を閉鎖した状態で循環ポンプ２４を駆動すると、水槽２内の液体を、排水ダクト１９と排水フィルタ装置２０および循環ダクト２５を介して水槽２内に戻すことができる。
【００４０】
また、図６は上記ドラム式洗濯乾燥機１のドア５０(図１,図２に示す)を外した状態の正面図を示している。図６において、図１に示すドラム式洗濯乾燥機１と同一の構成部には同一参照番号を付している。また、図６のＳ１は環状部材１７の上側領域、Ｓ２は環状部材１７の左右の中間領域、Ｓ３は環状部材１７の下側領域である。
【００４１】
上記環状部材１７は、上側領域Ｓ１,中間領域Ｓ２および下側領域Ｓ３の全周において、外周縁側から内周縁側に向かって後面側に傾斜する環状の傾斜面１７ａを有する。これにより、ドア５０を開けた状態で段差がない環状部材１７と外箱１００との一体感が得られるので、デザイン性が良好になると共に、環状部材１７に段差がないことにより衣類を入れやすくできる。
【００４２】
また、環状部材１７の環状の傾斜面１７ａは、上側領域Ｓ１から下側領域Ｓ３に向かって開口部１００ａの開口面に対する平均傾斜角度が徐々に小さくなっている。環状部材１７の傾斜面１７ａの上側領域Ｓ１は、前方かつ斜め上方を向くように傾斜する水槽２の水槽開口部２ａの上縁が１０３ａよりも外箱１００内の後面側に位置するので、開口部１００ａの開口面に対する傾斜を大きくして、水槽２の水槽開口部２ａの上縁に向かって衣類を水槽２の水槽開口部２ａにスムーズに案内する。一方、環状部材１７の傾斜面１７ａの下側領域Ｓ３は、水槽２の水槽開口部２ａの下縁が上縁よりも前面側に位置するので、開口部１００ａの開口面に対する傾斜を小さくしている。
【００４３】
このように、外箱１００内に前面側から後面側に向かって低くなっている回転ドラム３を配置した構成(斜めドラム式)のドラム式洗濯乾燥機１では、回転ドラム３と同様に傾斜した水槽開口部２ａに対して外箱１００の開口部１００ａの傾斜をなくすことができ、デザイン性がさらによくなる。
【００４４】
また、環状部材１７の環状の傾斜面１７ａは、上側領域Ｓ１,中間領域Ｓ２において断面凸状の湾曲面である(図７Ａ〜図９参照)。これにより、環状部材１７の内側開口から外箱１００内に衣類をスムーズに入れることができる。
【００４５】
また、環状部材１７の環状の傾斜面１７ａでは、外周縁側から内周縁側に向かって徐々に曲率が変化している。また、環状部材１７の傾斜面１７ａ(断面凸状の湾曲面)は、曲率の平均値が最も小さい部分である中間領域Ｓ２から上側領域Ｓ１に向かって徐々に曲率の平均値が大きくなっている。
【００４６】
上記外箱１００の前面の表面の明度よりも環状部材１７の表面の明度を暗くしている。例えば、外箱１００の前面の表面を白色または乳白色とし、環状部材１７の表面を黒色または灰色とする。これにより、環状部材１７を際立たせて外箱１００の開口部１００ａの位置を明確にすることができ、デザイン性と機能性がさらに向上する。
【００４７】
なお、外箱１００の前面および環状部材１７の表面の明度に限らず、環状部材１７の表面の色相、彩度および明度の少なくとも１つが、環状部材１７を際立たせるように、外箱１００の前面の表面と異なる構成としてもよい。
【００４８】
また、外箱１００とドア５０とを連結するヒンジ部６５は、環状部材１７の外側に配置されているので、ドア５０を開けた状態でヒンジ部６５により妨げられることなく環状部材１７の内側の開口部１００ａの全てが見えるので、デザイン性と機能性がさらに向上する。
【００４９】
図７Ａは図５に示すドラム式洗濯乾燥機１のドア５０のない状態の要部(開口部１００ａを含む)の拡大断面図を示している。図７Ａにおいて、図５に示すドラム式洗濯乾燥機１と同一の構成部には同一参照番号を付している。
【００５０】
図７Ａに示すように、環状部材１７の環状の傾斜面１７ａは、上側領域Ｓ１から下側領域Ｓ３に向かって開口部１００ａの開口面に対する平均傾斜角度θが徐々に小さくなっている。
【００５１】
また、図７Ｂは図７Ａに示す領域Ａの拡大図を示し、図７Ｃは図７Ａに示す領域Ｂの拡大図を示している。
【００５２】
図７Ｂ,図７Ｃに示すように、環状部材１７とパッキン保持部材１６(外箱１００の開口部１００ａの周縁部分)とでパッキン１８が挟持されている。
【００５３】
パッキン１８は、円筒部１８ａと、円筒部１８ａの前端側の内周に設けられた内フランジ部１８ｂと、円筒部１８ａの前端側の外周に設けられた係合部１８ｃと、円筒部１８ａの係合部１８ｃよりも後ろ側の外周に設けられた外フランジ部１８ｄと、円筒部１８ａの後端側の外周に設けられた屈曲部１８ｅを有する。
【００５４】
パッキン保持部材１６の内周部分をパッキン１８の係合部１８ｃと外フランジ部１８ｄとの間に嵌め込み、パッキン保持部材１６の内周部分に設けられた溝部１６ａに係合部１８ｃを係合させている。この状態でパッキン１８は、環状部材１７とパッキン保持部材１６とで挟持されている。
【００５５】
パッキン１８の屈曲部１８ｅは、図７Ｂ,図７Ｃに示す断面視において、円筒部１８ａの後端側の外周から前方に向かって延びた後、径方向外側に向かって屈曲し、さらに後方に向かって屈曲している。この屈曲部１８ｅの後端が、水槽２の水槽開口部２ａの周縁と接続されている。
【００５６】
上記環状部材１７とパッキン保持部材１６(外箱１００の開口部１００ａの周縁部分)とでパッキン１８を挟持しているので、別部材を用いることなく、環状部材１７がパッキン１８を保持する部材を兼ねることができる。
【００５７】
上記ドア５０を閉じると、ドア５０に取り付けられた円錐台形状のガラス製の窓部材５６(図５に示す)がパッキン１８の内フランジ部１８ｂに密着して、ドア５０と水槽２との間がシールされる。
【００５８】
また、図８は図６のVIII−VIII線から見た水平断面図を示し、図９は図６のIX−IX線から見た水平断面図を示している。図８,図９において、図５に示すドラム式洗濯乾燥機１と同一の構成部には同一参照番号を付している。
【００５９】
図８,図９に示すように、環状部材１７の環状の傾斜面１７ａは、緩やかに湾曲しながら外周縁側から内周縁側に向かって後面側に傾斜している。
【００６０】
〔第２実施形態〕
この発明の第２実施形態の衣類処理装置の一例としてのドラム式洗濯乾燥機は、外箱とドアを除いて第１実施形態のドラム式洗濯乾燥機１と同一の構成をしている。
【００６１】
この第２実施形態のドラム式洗濯乾燥機は、外箱の前面部の上側およびドアの上側に傾斜部がない点が第１実施形態のドラム式洗濯乾燥機１と異なる。
【００６２】
上記第２実施形態のドラム式洗濯乾燥機は、第１実施形態のドラム式洗濯乾燥機１と同様の効果を有する。
【００６３】
〔第３実施形態〕
この発明の第３実施形態の衣類処理装置の一例としてのドラム式乾燥機は、洗濯機としての機能を除いて第１実施形態のドラム式洗濯乾燥機１と同一の構成をしている。
【００６４】
上記第３実施形態のドラム式乾燥機は、第１実施形態のドラム式洗濯乾燥機１と同様の効果を有する。
【００６５】
上記第１〜第３実施形態では、衣類処理装置として、ドラム式洗濯乾燥機１およびドラム式乾燥機について説明したが、他の構成の衣類処理装置にこの発明を適用してもよい。
【００６６】
また、上記第１〜第３実施形態では、衣類処理装置としてのドラム式洗濯乾燥機１およびドラム式乾燥機のドア５０は、外箱１００の前面側(開口部１００ａを含む)を覆う主たる部分が略四角形状であったが、外箱の開口部のみを覆う形状のドアであってもよい。
【００６７】
また、上記第１〜第３実施形態では、衣類処理装置としてのドラム式洗濯乾燥機１およびドラム式乾燥機の環状部材１７の環状の傾斜面１７ａは、上側領域Ｓ１,中間領域Ｓ２および下側領域Ｓ３で平均傾斜角度が異なったが、環状部材の環状の傾斜面は、全周に亘って傾斜角度または平均傾斜角度が同じであってもよい。
【００６８】
ここで、傾斜角度は、環状部材１７の内側開口面に対して直角かつ内側開口の中心を通る平面で切った断面の傾斜面１７ａが直線である場合は、その直線と環状部材の内側開口面とのなす角度である。また、平均傾斜角度とは、環状部材１７の内側開口面に対して直角かつ内側開口の中心を通る平面で切った断面の傾斜面１７ａが曲線である場合は、その曲線の接線と環状部材１７の内側開口面とのなす角度の平均である。
【００６９】
さらに、上記第１〜第３実施形態では、衣類処理装置としてのドラム式洗濯乾燥機１およびドラム式乾燥機の環状部材１７の環状かつ断面凸状の湾曲面は、上側領域,中間領域および下側領域で湾曲形状が異なったが、環状部材の環状の傾斜面は、全周に亘って湾曲形状が同じであってもよい。
【００７０】
この発明の具体的な実施の形態について説明したが、この発明は上記第１〜第３実施形態に限定されるものではなく、この発明の範囲内で種々変更して実施することができる。例えば、上記第１〜第３実施形態で記載した内容を適宜組み合わせたものを、この発明の一実施形態としてもよい。
【００７１】
この実施形態をまとめると、次のようになる。
【００７２】
この発明の衣類処理装置は、
開口部１００ａを前面に有する外箱１００と、
上記外箱１００の前面側に開閉可能に取り付けられ、上記開口部１００ａを開閉するドア５０と、
上記外箱１００の上記開口部１００ａの周縁に設けられた環状部材１７と
を備え、
上記環状部材１７は、外周縁側から内周縁側に向かって後面側に傾斜する環状の傾斜面１７ａを有することを特徴とする。
【００７３】
上記構成によれば、外箱１００の開口部１００ａの周縁に設けられた環状部材１７が、外周縁側から内周縁側に向かって後面側に傾斜する環状の傾斜面１７ａを有することによって、ドア５０を開けた状態で段差がない環状部材１７と外箱１００との一体感が得られるので、デザイン性が良好になると共に、環状部材１７に段差がないことにより衣類を入れやすくできる。
【００７４】
また、一実施形態の衣類処理装置では、
上記環状部材１７の上記環状の傾斜面１７ａは、上側から下側に向かって上記開口部１００ａの開口面に対する傾斜角度または平均傾斜角度が徐々に小さくなっている。
【００７５】
上記実施形態によれば、環状部材１７の環状の傾斜面１７ａが、上側から下側に向かって開口部１００ａの開口面に対する傾斜角度(または平均傾斜角度)が徐々に小さくなっていることにより、外箱１００内に前面側から後面側に向かって低くなっている回転ドラム３を配置した構成(斜めドラム式)の衣類処理装置では、後面側に向かって傾斜した回転ドラム３の前面開口に対して外箱１００の開口部１００ａの傾斜をなくすか少なくでき、デザイン性がさらによくなる。
【００７６】
また、一実施形態の衣類処理装置では、
上記環状部材１７の上記環状の傾斜面１７ａの少なくとも一部は、断面凸状の湾曲面である。
【００７７】
上記実施形態によれば、環状部材１７の環状の傾斜面１７ａの少なくとも一部を、断面凸状の湾曲面とすることによって、環状部材１７の内側開口から外箱１００内に衣類をスムーズに入れることができる。
【００７８】
また、一実施形態の衣類処理装置では、
上記外箱１００の前面の表面に対して上記環状部材１７の表面の色相、彩度および明度のうちのいずれか１つが異なる。
【００７９】
上記実施形態によれば、外箱１００の前面の表面に対して環状部材１７の表面の色相、彩度および明度のうちのいずれか１つが異なることによって、環状部材１７を際立たせて外箱１００の開口部１００ａの位置を明確にすることができ、デザイン性と機能性がさらに向上する
また、一実施形態の衣類処理装置では、
上記環状部材１７と上記外箱１００の開口部１００ａの周縁部分とで挟持されたパッキン１８を備えた。
【００８０】
上記実施形態によれば、環状部材１７と外箱１００の開口部１００ａの周縁部分とでパッキン１８を挟持しているので、別部材を用いることなく、環状部材１７がパッキン１８を保持する部材を兼ねることができる。
【００８１】
また、一実施形態の衣類処理装置では、
上記外箱１００と上記ドア５０とを連結するヒンジ部６５は、上記環状部材１７の外側に配置されている。
【００８２】
上記実施形態によれば、外箱１００とドア５０とを連結するヒンジ部６５を環状部材１７の外側に配置することによって、ドア５０を開けた状態でヒンジ部６５により妨げられることなく環状部材１７の内側の開口部１００ａの全てが見えるので、デザイン性と機能性がさらに向上する。
【符号の説明】
【００８３】
１…ドラム式洗濯乾燥機
２…水槽
２ａ…水槽開口部
３…回転ドラム
３ａ…回転ドラム開口部
４…ドラムモータ
５…環状ガイド部
１０…給水口
１１…洗剤ケース
１２…ダンパ
１３…給水弁
１５…給水ダクト
１６…パッキン保持部材
１７…環状部材
１７ａ…傾斜面
１８…パッキン
１９…排水ダクト
２０…排水フィルタ装置
２１…排水ホース
２２…排水弁
２４…循環ポンプ
２５…循環ダクト
３０…気流フィルタ装置
３１…電源ボタン
５０…ドア
５１…ドア本体部
５２…傾斜部
５３…ロック解除部
５４…表示操作部
５６…窓部材
５７…係合爪
６０…排水フィルタ用ドア
６５…ヒンジ部
６６…被係合部
７０…糸屑フィルタ
１００…外箱
１００ａ…開口部
１０１…上面部
１０３…前面部
１０３ａ…第１平面部
１０３ｂ…上傾斜部
１０３ｃ…第２平面部
１０４…後面部
１０５…側面部
１０６…底台
Ｊ…回転軸
【図１】
2018117707.tif 000003
【図２】
2018117707.tif 000004
【図３】
2018117707.tif 000005
【図４】
2018117707.tif 000006
【図５】
2018117707.tif 000007
【図６】
2018117707.tif 000008
【図７Ａ】
2018117707.tif 000009
【図７Ｂ】
2018117707.tif 000010
【図７Ｃ】
2018117707.tif 000011
【図８】
2018117707.tif 000012
【図９】
2018117707.tif 000013